(57)【要約】【課題】    容量を複数段階に調整できるようにすると同時に、効率の低下を防止する。【解決手段】    鏡板（23）に渦巻状のラップ（24）が設けられた固定スクロール（21）及び可動スクロール（22）を備えている。ラップ（24）の先端の凹部には、ラップ（24）と鏡板（23）との間隙量を調整する高分子アクチュエータ（40）が設けられている。高分子アクチュエータ（40）は、ラップ（24）の高さ方向に形状が変化して間隙量を調整する。高分子アクチュエータ（40）は、鏡板（23）とラップ（24）との間のシール部材を兼用している。一方、凹部は、凹部とラップ（24）の内周面との厚さ及び凹部とラップ（24）の外周面との厚さが異なるように形成されている。【選択図】  図３
2005155568.tif 000002
【特許請求の範囲】
【請求項１】
鏡板（23）に渦巻状のラップ（24）が設けられた第１のスクロール（21）と、鏡板（23）に渦巻状のラップ（24）が設けられた第２のスクロール（22）とを少なくとも備えたスクロール流体機械であって、
上記一方のスクロール（21，22）のラップ（24）と他方のスクロール（22，21）の鏡板（23）との間隙量を調整する調整手段（4a）が設けられ、
該調整手段（4a）は、外部入力によって形状が変化する変形部材（40）を備えていることを特徴とするスクロール流体機械。
【請求項２】
請求項１において、
上記変形部材（40）は、ラップ（24）の先端に設けられ、ラップ（24）の高さ方向に形状が変化して間隙量を調整することを特徴とするスクロール流体機械。
【請求項３】
請求項１において、
上記変形部材（40）は、ラップ（24）の先端に該ラップ（24）の長さ方向に沿って設けられ、
上記変形部材（40）は、ラップ（24）の長さ方向に沿った形状長さが変化して間隙量を調整することを特徴とするスクロール流体機械。
【請求項４】
請求項３において、
上記変形部材（40）は、ラップ（24）の長さ方向に沿って複数設けられていることを特徴とするスクロール流体機械。
【請求項５】
請求項１において、
上記変形部材（40）は、容量が変化するように間隙量を調整することを特徴とするスクロール流体機械。
【請求項６】
請求項１において、
上記変形部材（40）は、吐出開始角度が変化するように間隙量を調整することを特徴とするスクロール流体機械。
【請求項７】
請求項１〜６の何れか１項において、
上記第１のスクロール（21）と第２のスクロール（22）との間に形成される作動室（2a）から流体が吐出する吐出口（2b）に吐出弁が設けられる一方、
上記ラップ（24）は、吐出終了時における作動室（2a）の容積が実質的にゼロ容積となるように形成されていることを特徴とするスクロール流体機械。
【請求項８】
請求項１において、
上記変形部材（40）は、ラップ（24）の先端に設けられ、鏡板（23）とラップ（24）との間のシール部材を兼用していることを特徴とするスクロール流体機械。
【請求項９】
請求項１において、
上記変形部材（40）は、ラップ（24）の先端の凹部（25）に設けられ、
上記凹部（25）は、該凹部（25）とラップ（24）の内周面との厚さ及び上記凹部（25）とラップ（24）の外周面との厚さが異なるように形成されていることを特徴とするスクロール流体機械。
【請求項１０】
請求項１において、
上記第１のスクロール（21）は、固定スクロールに構成され、第２のスクロール（22）が可動スクロールに構成される一方、
上記変形部材（40）は、第１のスクロール（21）にのみ設けられていることを特徴とするスクロール流体機械。
【請求項１１】
請求項１において、
上記変形部材（40）は、高分子アクチュエータで構成されていることを特徴とするスクロール流体機械。
【発明の詳細な説明】
【技術分野】
【０００１】
本発明は、スクロール流体機械に関し、特に、容量制御対策に係るものである。
【背景技術】
【０００２】
従来、空気調和装置などには、スクロール型圧縮機が設けられている。このスクロール型圧縮機は、圧縮比が固定されているので、インバータなどの電力調整回路を設けて回転数を制御し、容量を制御している。
【０００３】
しかし、上記電力調整回路を設けると、この電力調整回路に相当のコストがかかるという問題があった。また、上記電力調整回路では、消費電力が大きく、また、インバータなどの電力損失によって効率が低下するという問題があった。
【０００４】
そこで、特許文献１に開示されているように、固定スクロールにバイパス通路を形成し、圧縮流体をバイパス通路から低圧室に戻すようにしているものがある。
【特許文献１】特開平１０−９１６１号公報
【発明の開示】
【発明が解決しようとする課題】
【０００５】
しかしながら、従来の特許文献１に開示されているスクロール型圧縮機では、ピストンバルブ機構を用いているので、容量を２段階に調整するに過ぎず、制御範囲が狭いという問題があった。また、上記ピストンバルブ機構を作動させるための動力を要し、効率が低下するという問題があった。
【０００６】
本発明は、斯かる点に鑑みてなされたものであり、容量を複数段階に調整できるようにすると同時に、効率の低下を防止することを目的とするものである。
【課題を解決するための手段】
【０００７】
〈発明の概要〉
本発明は、高分子アクチュエータなど、外部入力によって形状が変化する変形部材（40）を設けるようにしたものである。
【０００８】
〈解決手段〉
具体的に、図３に示すように、第１の発明は、鏡板（23）に渦巻状のラップ（24）が設けられた第１のスクロール（21）と、鏡板（23）に渦巻状のラップ（24）が設けられた第２のスクロール（22）とを少なくとも備えたスクロール流体機械を対象としている。そして、上記一方のスクロールのラップ（24）と他方のスクロールの鏡板（23）との間隙量を調整する調整手段（4a）が設けられている。加えて、該調整手段（4a）は、外部入力によって形状が変化する変形部材（40）を備えている。
【０００９】
また、第２の発明は、上記第１の発明において、上記変形部材（40）がラップ（24）の先端に設けられている。そして、上記変形部材（40）は、ラップ（24）の高さ方向に形状が変化して間隙量を調整する。
【００１０】
また、第３の発明は、上記第１の発明において、上記変形部材（40）がラップ（24）の先端に該ラップ（24）の長さ方向に沿って設けられている。そして、上記変形部材（40）は、ラップ（24）の長さ方向に沿った形状長さが変化して間隙量を調整する。
【００１１】
また、第４の発明は、上記第３の発明において、上記変形部材（40）がラップ（24）の長さ方向に沿って複数設けられている。
【００１２】
また、第５の発明は、上記第１の発明において、上記変形部材（40）は、容量が変化するように間隙量を調整する。
【００１３】
また、第６の発明は、上記第１の発明において、上記変形部材（40）は、吐出開始角度が変化するように間隙量を調整する。
【００１４】
また、第７の発明は、上記第１〜６の何れかの発明において、上記第１のスクロール（21）と第２のスクロール（22）との間に形成される作動室（2a）から流体が吐出する吐出口（2b）に吐出弁が設けられている。そして、上記ラップ（24）は、吐出終了時における作動室（2a）の容積が実質的にゼロ容積となるように形成されている。
【００１５】
また、第８の発明は、上記第１の発明において、上記変形部材（40）がラップ（24）の先端に設けられている。そして、上記変形部材（40）が鏡板（23）とラップ（24）との間のシール部材を兼用している。
【００１６】
また、第９の発明は、上記第１の発明において、上記変形部材（40）がラップ（24）の先端の凹部（25）に設けられている。そして、上記凹部（25）は、該凹部（25）とラップ（24）の内周面との厚さ及び上記凹部（25）とラップ（24）の外周面との厚さが異なるように形成されている。
【００１７】
また、第１０の発明は、上記第１の発明において、上記第１のスクロール（21）が固定スクロールに構成され、第２のスクロール（22）が可動スクロールに構成されている。更に、上記変形部材（40）が第１のスクロール（21）にのみ設けられている。
【００１８】
また、第１１の発明は、上記第１の発明において、上記変形部材（40）が高分子アクチュエータで構成されている。
【００１９】
〈作用〉
すなわち、上記第１の発明では、変形部材（40）の形状を最大の状態から、小さくすると、鏡板（23）とラップ（24）との間隙量が増大する。この結果、作動室（2a）から低圧側に流れる流体量が多くなり、容量が低下する。
【００２０】
逆に、容量が低下した状態から、変形部材（40）の形状を大きくすると、鏡板（23）とラップ（24）との間隙量が低下する。この結果、作動室（2a）から低圧側に流れる流体量が少なくなり、容量が増大する。
【００２１】
上記第２の発明では、上記変形部材（40）がラップ（24）の高さ方向に形状を変化させて間隙量を調整する。
【００２２】
上記第３の発明では、上記変形部材（40）がラップ（24）の長さ方向に沿った形状長さを変化させて間隙量を調整する。
【００２３】
上記第４の発明では、ラップ（24）の長さ方向に沿った複数の変形部材（40）が長さ方向に変形する。そして、この複数の変形部材（40）の隙間が調整されて鏡板（23）とラップ（24）との間隙量が調整される。
【００２４】
上記第５の発明では、上記変形部材（40）の変形によって主として容量が変化する。
【００２５】
上記第６の発明では、上記変形部材（40）の変形によって吐出開始角度が変化する。
【００２６】
上記第７の発明では、上記吐出終了時における作動室（2a）の容積が実質的にゼロ容積となるので、圧縮比の低下が抑制される。
【００２７】
上記第８の発明では、上記変形部材（40）が鏡板（23）とラップ（24）との間のシール部材を兼用するので、部品点数が削減される。
【００２８】
上記第９の発明では、凹部（25）とラップ（24）の内周面との厚さ及び凹部（25）とラップ（24）の外周面との厚さが異なるので、ラップ（24）の強度及び流体の漏れ量が抑制される。
【００２９】
上記第１０の発明では、変形部材（40）が固定スクロール（21）にのみ設けられているので、電力供給などが容易に行われる。
【００３０】
上記第１１の発明では、変形部材（40）を高分子アクチュエータ（40）で構成しているので、間隙量の調整が確実に行われる。
【発明の効果】
【００３１】
したがって、本発明によれば、ラップ（24）の先端に変形部材（40）を設けてラップ（24）と鏡板（23）との間の間隙量を調整するようにしたために、容量を制御することができる。特に、上記間隙量を広範囲に調整することができるので、容量を多段階に容易に制御することができる。
【００３２】
また、上記変形部材（40）を変形させるのみで容量を制御することができるので、変形動力が小さく、効率の向上を図ることができる。
【００３３】
また、第４の発明によれば、複数の変形部材（40）を設けているので、容量の制御等を正確に行うことができる。
【００３４】
また、第５の発明によれば、変形部材（40）が容量を変化させるように間隙量を調整するので、制御を確実に行うことができる。
【００３５】
また、第６の発明によれば、ラップ（24）の巻き始め端の変形部材（40）が間隙量を大きくすることにより、吐出開始角度を調整することができるので、圧縮比を制御することができる。
【００３６】
また、第７の発明によれば、吐出終了時における作動室（2a）である圧縮室の容積が実質的にゼロ容積となるようにラップ（24）を形成しているので、例えば、圧縮室の閉じ込み容積を小さくすると、そのままでは圧縮比が低下することになるが、吐出圧力である高圧圧力を高くすることにより、圧縮比の低下を抑制する。
【００３７】
また、第８の発明によれば、上記変形部材（40）が鏡板（23）とラップ（24）との間のシール部材を兼用するので、部品点数を削減することができる。
【００３８】
また、第９の発明によれば、上記変形部材（40）を内側に偏って設けるようにしているので、凹部（25）とラップ（24）の内周面との内側壁（2c）の厚さが上記凹部（25）とラップ（24）の外周面との外側壁（2d）の厚さより小さくすることができる。この結果、上記ラップ（24）の内側は外側よりも高圧状態であるので、外側壁（2d）を厚く、所定の強度を保持することができる。更に、内側壁（2c）が薄く、接線方向の漏れを少なくすることができる。
【００３９】
また、第１０の発明によれば、変形部材（40）を固定スクロール（21）にのみ設けているので、電力供給構造などの簡素化を図ることができる。
【００４０】
また、第１１の発明によれば、変形部材（40）を高分子アクチュエータ（40）で構成しているので、間隙量の調整を確実に行うことができる。
【発明を実施するための最良の形態】
【００４１】
以下、本発明の実施形態を図面に基づいて詳細に説明する。
【００４２】
〈発明の実施形態１〉
図１及び図２に示すように、本実施形態のスクロール流体機械は、スクロール型圧縮機（10）で構成されている。該スクロール型圧縮機（10）は、圧縮機構（20）と電動機（30）と駆動軸（11）とを備えている。そして、上記スクロール型圧縮機（10）は、空気調和装置などの冷媒回路に設けられ、冷媒ガスを圧縮する。
【００４３】
上記電動機（30）は、駆動軸（11）を介して圧縮機構（20）に接続されている。上記圧縮機構（20）及び電動機（30）は、円筒状のケーシング（12）に密閉状態で収納されている。上記スクロール型圧縮機（10）は、縦型であって、ケーシング（12）の内部上方に圧縮機構（20）が配置され、ケーシング（12）の内部下方に下部軸受（13）が配置され、圧縮機構（20）と下部軸受（13）の間に電動機（30）が配置されている。
【００４４】
上記ケーシング（12）には、圧縮機構（20）と電動機（30）との間に、冷媒の吸入管（14）が設けられている。また、上記ケーシング（12）の頭部であって、圧縮機構（20）の上方には、圧縮冷媒の吐出管（15）が設けられている。
【００４５】
上記圧縮機構（20）は、第１のスクロールである固定スクロール（21）と第２のスクロールである可動スクロール（22）と軸受け部材（16）とを有している。
【００４６】
上記固定スクロール（21）及び可動スクロール（22）には、それぞれ鏡板（23）と該鏡板（23）に形成された渦巻状のラップ（24）とを備えている。そして、上記固定スクロール（21）と可動スクロール（22）は、それぞれのラップ（24）が噛み合うように配置されている。このように両スクロール（21，22）のラップ（24）を噛み合わせることで、作動室である圧縮室（2a）がラップ（24）と鏡板（23）とによって区画されて形成される。固定スクロール（21）の中心部には、圧縮室（2a）で圧縮された冷媒が吐出する吐出口（2b）が形成されている。尚、上記固定スクロール（21）のラップ（24）と可動スクロール（22）のラップ（24）とは、周方向の長さが同じ長さに形成されている。
【００４７】
上記固定スクロール（21）は、上記軸受け部材（16）に固定され、可動スクロール（22）は、オルダムリングを介して軸受け部材（16）に載置されている。また、上記可動スクロール（22）の背面には、上記駆動軸（11）の軸端に形成された偏心部（1a）が連結されている。
【００４８】
一方、図３に示すように、本発明の特徴として固定スクロール（21）及び可動スクロール（22）のラップ（24）の先端には、間隙量を調整する調整手段（4a）が設けられている。
【００４９】
上記調整手段（4a）は、図３及び図４に示すように、固定スクロール（21）のラップ（24）と可動スクロール（22）の鏡板（23）との間隙量及び可動スクロール（22）のラップ（24）と固定スクロール（21）の鏡板（23）との間隙量を調整する高分子アクチュエータ（40）を備えている。要するに、上記高分子アクチュエータ（40）は、電圧などの外部入力によって形状が変化する変形部材（40）を構成している。
【００５０】
上記高分子アクチュエータ（40）は、図５に示すように、導電性高分子素子よるなる導電性高分子アクチュエータで構成されている。
【００５１】
上記導電性高分子素子よるなる高分子アクチュエータ（40）は、電圧印加によって伸縮変形する性状を有する。上記高分子アクチュエータ（40）は、例えば、「ポリアニリン」等の高分子材（41）と電解液（42）とが接触して配置されると共に、上記高分子材（41）の外側に電極（43）が設けられ、上記電解液（42）の外側に電極（44）が設けられている。尚、上記電極（43，44）の外側は、樹脂膜等によって保護被覆が施されている。上記各電極（43，44）は、切換スイッチ（45）を介して直流電源（46）が接続されている。上記高分子アクチュエータ（40）は、切換スイッチ（45）の操作によって各電極（43，44）の極性を適宜変更し、図３に矢符で示すように、伸縮変形する。
【００５２】
具体的には、上記電極（43）を「陽極」に、上記電極（44）を「陰極」に設定すると、上記電解液（42）内の「陰イオン」が上記高分子材（41）に取り込まれ、該高分子材（41）が膨潤となり、結果的に伸長変形する。逆に、上記電極（43）を「陰極」に、上記電極（44）を「陽極」に設定すると、上記高分子材（41）に取り込まれていた「陰イオン」が上記電解液（42）内へ放出され、上記高分子材（41）が縮小するものである。このように電圧印加の極性を変更することによって、上記高分子アクチュエータ（40）は、伸長又は縮小する。
【００５３】
上記高分子アクチュエータ（40）は、電圧印加によってこれを伸長又は縮小させた後、電圧印加を停止させても、電圧印加停止前の伸長又は縮小状態をそのまま維持する性状を保持する。すなわち、上記高分子アクチュエータ（40）は、伸長又は縮小させるときにのみ電圧を印加すればよい。上記の性状は、例えば、形状記憶合金のように形状復元後もその復元形状を維持するためには加熱を継続させる必要があるものと、大きく異なる。
【００５４】
上記高分子アクチュエータ（40）は、図４に示すように、ラップ（24）の先端に形成された凹部（25）に収納されている。上記凹部（25）は、ラップ（24）の巻き始め端部から巻き終わり端部に亘って形成されている。そして、上記高分子アクチュエータ（40）は、凹部（25）に収納されると共に、下部がピン（47）によってラップ（24）に固定されている。上記高分子アクチュエータ（40）は、ラップ（24）の巻き始め端部から巻き終わり端部に亘って複数設けられ、凹部（25）より上方に突出している。そして、上記高分子アクチュエータ（40）は、上面が対向する鏡板（23）に接するように設けられ、鏡板（23）とラップ（24）との間のシール部材を兼用している。
【００５５】
上記高分子アクチュエータ（40）は、ラップ（24）の高さ方向に形状が変化し、鏡板（23）との間隙量を変化させる。つまり、上記高分子アクチュエータ（40）が間隙量を大きくすると、圧縮室（2a）の冷媒の一部がケーシング（12）の内部の低圧側に流れ、圧縮機構（20）の容量が低下する。一方、上記高分子アクチュエータ（40）が間隙量を小さくすると、圧縮室（2a）からケーシング（12）の内部の低圧側に流れる冷媒量が少なくなり、圧縮機構（20）の容量が増大する。特に、上記高分子アクチュエータ（40）が間隙量を直線的に増減することにより、圧縮機構（20）の容量が直線的に変化することになる。
【００５６】
このように、上記高分子アクチュエータ（40）は、低圧側に流れる冷媒量を調整して容量を制御することになる。
【００５７】
また、上記ラップ（24）の巻き始め端部に設けられた巻き始め側高分子アクチュエータ（40）は、吐出開始角度が変化するように間隙量を調整する。つまり、ラップ（24）の巻き始め端部は、圧縮室（2a）が吐出口（2b）に連通する角度を定めることから、巻き始め側高分子アクチュエータ（40）が間隙量を大きくすることにより、吐出開始角度が変化する。特に、巻き始め側高分子アクチュエータ（40）において、形状変化する部分をラップ（24）の長さ方向に調整することにより、吐出開始角度が直線的に変化する。
【００５８】
また、上記ラップ（24）の巻き終わり端に設けられた巻き終わり側高分子アクチュエータ（40）は、いわゆる閉じ込み容積が変化するように間隙量を調整する。つまり、ラップ（24）の巻き終わり端部は、圧縮室（2a）が形成される位置を定めることから、巻き終わり側高分子アクチュエータ（40）が間隙量を大きくすることにより、閉じ込み容積が変化する。特に、巻き終わり側高分子アクチュエータ（40）において、形状変化する部分をラップ（24）の長さ方向に調整することにより、閉じ込み容積が直線的に変化する。
【００５９】
一方、上記凹部（25）は、ラップ（24）の中心より内側に偏って位置している。つまり、上記凹部（25）は、該凹部（25）とラップ（24）の内周面との間の内側壁（2c）の厚さが上記凹部（25）とラップ（24）の外周面との間の外側壁（2d）の厚さより小さくなるように形成されている。上記ラップ（24）の内側は外側よりも高圧状態であるので、外側壁（2d）を厚くして所定の強度を保持するようにしている。更に、内側壁（2c）を薄くして接線方向の漏れを少なくするようにしている。
【００６０】
尚、上記固定スクロール（21）の高分子アクチュエータ（40）の電極供給手段は、鏡板（23）等に埋め込まれた配線等より構成され、高分子アクチュエータ（40）に配線等を介して電力供給される。
【００６１】
一方、上記可動スクロール（22）の高分子アクチュエータ（40）の電極供給手段は、図示しないが、例えば、１次コイルと２次コイルとを備えた非接触式の電力供給方式を適用するか、またはすべり電極が適用される。この電極供給手段を適用することにより、断線を防止することができる。
【００６２】
−運転動作−
次に、この密閉型圧縮機（10）の運転動作について説明する。
【００６３】
電動機（30）を駆動すると、駆動軸（11）を介して可動スクロール（22）が自転することなく固定スクロール（21）に対して公転運動を行う。これにより、吸入管（14）から流れ込んだ冷媒が、圧縮機構（20）の圧縮室（2a）に吸入される。吸入された冷媒は、可動スクロール（22）の公転に伴い、図２に示すように、圧縮室（2a）の容積が中心部に向かって収縮して圧縮される。
【００６４】
上記冷媒は、圧縮室（2a）の容積変化に伴って圧縮され、高圧になって上記固定スクロール（21）のほぼ中央に形成されたの吐出口（2b）からケーシング（12）の内部に吐出される。吐出された冷媒は、吐出管（15）から冷媒回路へ送り出され、冷媒回路において凝縮、膨張、蒸発の各行程を行った後、再度吸入管（14）から吸入されて圧縮される。
【００６５】
上記冷媒の圧縮時において、全高分子アクチュエータ（40）の高さを最大高さにすると、圧縮容量が最大となる。この容量最大の状態から、高分子アクチュエータ（40）の高さを小さくすると、鏡板（23）との間隙量が増大する。この結果、圧縮室（2a）からケーシング（12）の内部の低圧側に流れる冷媒量が多くなり、圧縮機構（20）の容量が低下する。
【００６６】
逆に、圧縮容量が低下した状態から、高分子アクチュエータ（40）の高さを大きくすると、鏡板（23）との間隙量が低下する。この結果、圧縮室（2a）からケーシング（12）の内部の低圧側に流れる冷媒量が少なくなり、圧縮機構（20）の容量が増大する。
【００６７】
また、上記高分子アクチュエータ（40）が間隙量を直線的に増減すると、圧縮機構（20）の容量が直線的に変化する。
【００６８】
また、上記巻き始め側高分子アクチュエータ（40）が間隙量を大きくすることにより、吐出開始角度が進むことになる。この結果、圧縮比が低下する。
【００６９】
また、上記巻き終わり側高分子アクチュエータ（40）が間隙量を大きくすることにより、閉じ込み容積が小さくなる。この結果、圧縮比が低下する。
【００７０】
−実施形態１の効果−
したがって、本実施形態によれば、ラップ（24）の先端に高分子アクチュエータ（40）を設けてラップ（24）と鏡板（23）との間の間隙量を調整するようにしたために、圧縮機構（20）の容量を制御することができる。特に、上記間隙量を広範囲に調整することができるので、圧縮機構（20）の容量を多段階に容易に制御することができる。
【００７１】
また、上記高分子アクチュエータ（40）を変形させるのみで圧縮機構（20）の容量を制御することができるので、変形動力が小さく、効率の向上を図ることができる。
【００７２】
特に、上記高分子アクチュエータ（40）が容量を変化させるように間隙量を調整するので、制御を確実に行うことができる。
【００７３】
また、上記巻き始め側高分子アクチュエータ（40）が間隙量を大きくすることにより、吐出開始角度が進むことになる。この結果、圧縮比が低下し、圧縮比を制御することができる。
【００７４】
また、上記巻き終わり側高分子アクチュエータ（40）が間隙量を大きくすることにより、閉じ込み容積が小さくなる。この結果、圧縮比が低下し、圧縮比を制御することができる。
【００７５】
また、上記高分子アクチュエータ（40）を内側に偏って設けるようにしているので、凹部（25）とラップ（24）の内周面との間の内側壁（2c）の厚さが上記凹部（25）とラップ（24）の外周面との間の外側壁（2d）の厚さより小さくすることができる。この結果、上記ラップ（24）の内側は外側よりも高圧状態であるので、外側壁（2d）を厚く、所定の強度を保持することができる。更に、内側壁（2c）が薄く、接線方向の漏れを少なくすることができる。
【００７６】
また、上記高分子アクチュエータ（40）が鏡板（23）とラップ（24）との間のシール部材を兼用するので、部品点数を削減することができる。
【００７７】
〈発明の実施形態２〉
次に、本発明の実施形態２を図６に基づいて詳細に説明する。
【００７８】
本実施形態は、実施形態１が高分子アクチュエータ（40）を高さ方向に変形させるようにしたのみ代えて、周方向の長さを変形させるようにしたものである。
【００７９】
つまり、複数の高分子アクチュエータ（40）は、図６に矢符で示すように、ラップ（24）の長さ方向に変形するように構成されている。
【００８０】
この結果、上記冷媒の圧縮時において、全高分子アクチュエータ（40）の長さを最大長さにすると、各高分子アクチュエータ（40）の間の間隙が最小となり、圧縮容量が最大となる。この容量最大の状態から、高分子アクチュエータ（40）の長さを小さくすると、各高分子アクチュエータ（40）の間の間隙が大きくなり、鏡板（23）との間隙量が増大する。この結果、圧縮室（2a）からケーシング（12）の内部の低圧側に流れる冷媒量が多くなり、圧縮機構（20）の容量が低下する。
【００８１】
逆に、圧縮容量が低下した状態から、高分子アクチュエータ（40）の長さを大きくすると、鏡板（23）との間隙量が低下する。この結果、圧縮室（2a）からケーシング（12）の内部の低圧側に流れる冷媒量が少なくなり、圧縮機構（20）の容量が増大する。
【００８２】
また、上記高分子アクチュエータ（40）が長さを直線的に増減すると、圧縮機構（20）の容量が直線的に変化する。
【００８３】
また、上記巻き始め側高分子アクチュエータ（40）の長さを短くすると、間隙量が大きくなり、吐出開始角度が進むことになる。この結果、圧縮比が低下する。
【００８４】
また、上記巻き終わり側高分子アクチュエータ（40）の長さを短くすると、間隙量が大きくなり、閉じ込み容積が小さくなる。この結果、圧縮比が低下する。
【００８５】
特に、上記複数の高分子アクチュエータ（40）を設けているので、容量の制御等を正確に行うことができる。その他の構成、作用及び効果は、実施形態１と同様である。
【００８６】
尚、本実施形態２において、高分子アクチュエータ（40）は複数で構成するようにしたが、１つの高分子アクチュエータ（40）で構成するようにしたものよい。つまり、ラップ（24）の巻き始め端から巻き終わり端まで一体の高分子アクチュエータ（40）で構成するようにしてもよい。この結果、高分子アクチュエータ（40）の長さを短くすると、ラップ（24）の巻き始め端側及び巻き終わり端側の何れかの間隙量が多くなる。また、上記高分子アクチュエータ（40）の中央部分を固定すると、ラップ（24）の巻き始め端側及び巻き終わり端側の双方の間隙量が調整され、圧縮機構（20）の容量が制御される。
【００８７】
〈発明の実施形態３〉
次に、本発明の実施形態３を図７に基づいて詳細に説明する。
【００８８】
本実施形態は、実施形態１がラップ（24）全体を高分子アクチュエータ（40）で構成するようにしたのみ代えて、ラップ（24）の一部を高分子アクチュエータ（40）で構成するようにしたものである。
【００８９】
つまり、上記高分子アクチュエータ（40）の上部にシール部材（50）が設けられている。そして、該シール部材（50）が鏡板（23）に接する。
【００９０】
この結果、ラップ（24）と鏡板（23）との間のシールを確実に行うことができる共に、高分子アクチュエータ（40）の損傷等を確実に防止することができる。
【００９１】
その他の構成、作用及び効果は、実施形態１と同様である。
【００９２】
〈発明の実施形態４〉
次に、本発明の実施形態４を図８に基づいて詳細に説明する。
【００９３】
本実施形態は、実施形態１が高分子アクチュエータ（40）がシール部材を兼用するようにしたのに代えて、ラップ（24）を上下全体に亘って高分子アクチュエータ（40）で形成するようにしてもよい。
【００９４】
例えば、図８に示すように、巻き終わり端側高分子アクチュエータ（40）は、ラップ（24）の巻き終わり端部を上下全体に亘って構成している。そして、図８に矢符で示すように、上記巻き終わり端側高分子アクチュエータ（40）が高さ方向に変形し、間隙量を調整する。
【００９５】
その他の構成、作用及び効果は、実施形態１と同様である。
【００９６】
〈発明の実施形態５〉
次に、本発明の実施形態４を図９に基づいて詳細に説明する。
【００９７】
本実施形態は、実施形態４が高分子アクチュエータ（40）が高さ方向に変形するするようにしたのに代えて、高分子アクチュエータ（40）が湾曲するようにしてもよい。
【００９８】
つまり、上記高分子アクチュエータ（40）は、イオン伝導アクチュエータで構成されている。このイオン伝導アクチュエータの高分子アクチュエータ（40）は、電圧印加によって撓曲変形する性状を備えている。図９（Ａ）に示すように、上記高分子アクチュエータ（40）は、含水高分子電解質（48）の両面にそれぞれ電極（43，44）を取り付けて構成される。尚、上記電極（43，44）は、外側を樹脂膜等によって保護被覆が施されている。上記両電極（43，44）とは、切換スイッチ（45）を介して直流電源（46）が接続されている。上記高分子アクチュエータ（40）は、切換スイッチ（45）の操作によって電極（43，44）の極性を適宜変更することにより、撓曲変形する。
【００９９】
具体的には、図９（Ｂ）に示すように、上記電極（43）を「陽極」に、上記電極（44）を「陰極」に設定すると、含水高分子電解質（48）内の「陽イオン」が水を伴って「陰極」側へ移動し、含水量が「陰極」側に偏在し、「陰極」側と「陽極」側との間に膨潤差が生じて上記高分子アクチュエータ（40）が「陰極」側、即ち、上記電極（44）側へ凸に撓曲変形する。逆に、図９（Ｃ）に示すように、上記電極（43）を「陰極」に、上記電極（44）を「陽極」に設定すると、含水高分子電解質（48）内の「陽イオン」が水を伴って「陰極」側へ移動し、上記高分子アクチュエータ（40）が「陰極」側、即ち、上記電極（43）側へ凸に撓曲変形する。このように電圧印加の極性を変更することで上記高分子アクチュエータ（40）が撓曲変形する。
【０１００】
したがって、例えば、図８に示す巻き終わり端側高分子アクチュエータ（40）が湾曲することによって、いわゆる閉じ込み容積が変化し、容量が制御される。
【０１０１】
その他の構成、作用及び効果は、実施形態４と同様である。
【０１０２】
〈発明の実施形態６〉
次に、本発明の実施形態６を図１０に基づいて詳細に説明する。
【０１０３】
本実施形態は、実施形態１が固定スクロール（21）のラップ（24）と可動スクロール（22）のラップ（24）の長さを等しく構成したのに代えて、いわゆる非対称に構成するようにしてもよい。
【０１０４】
つまり、可動スクロール（22）のラップ（24）を固定スクロール（21）のラップ（24）よりほぼ１８０度長く形成する。この結果、容積が異なる２種類の圧縮室（2a）が構成されることになる。この実施形態においても、ラップ（24）の先端等に高分子アクチュエータ（40）が設けられている。
【０１０５】
その他の構成、作用及び効果は、実施形態１と同様である。
【０１０６】
〈その他の実施形態〉
本発明は、上記実施形態１について、以下のような構成としてもよい。
【０１０７】
（ａ）上記各実施形態は、スクロール型圧縮機（10）について説明したが、本発明は、その他の形態のスクロール型圧縮機（10）の他、膨張機などに適用してもよい。要するに、作動室（2a）の容積を制御するように高分子アクチュエータ（40）を設けたスクロール流体機械であればよい。
【０１０８】
（ｂ）上記各実施形態は、１つの固定スクロール（21）と１つの可動スクロール（22）とを設けたものについて説明したが、本発明は、複数の固定スクロール（21）と複数の可動スクロール（22）とを設けたものであってもよい。例えば、可動スクロール（22）の鏡板（23）の両面にラップ（24）を設け、このラップ（24）に噛み合うように２つの固定スクロール（21）を設けたものであってもよい。
【０１０９】
（ｃ）上記各実施形態は、高分子アクチュエータ（40）をイオン伝導アクチュエータ又は導電性高分子素子よるなる導電性高分子アクチュエータで構成したが、本発明は、高分子アクチュエータ（40）をこれら何れであってもよいことは勿論である。
【０１１０】
（ｄ）上記各実施形態は、変形部材を高分子アクチュエータ（40）で構成したが、本発明は、電圧などの外部入力によって変形するアクチュエータであればよい。
【０１１１】
（ｅ）上記各実施形態は、高分子アクチュエータ（40）をラップ（24）の巻き始め端から巻き終わり端まで設けるようにしたが、本発明は、例えば、図８に示すように、高分子アクチュエータ（40）をラップ（24）の巻き始め端のみや巻き終わり端のみなどに設けるようにしてもよい。要するに、容量が制御し得るように高分子アクチュエータ（40）を設ければよい。
【０１１２】
（ｆ）上記各実施形態は、高分子アクチュエータ（40）を固定スクロール（21）と可動スクロール（22）との双方に設けるようにしたが、上記高分子アクチュエータ（40）を固定スクロール（21）にのみ設けるようにしてもよい。要するに、変形部材（40）を固定スクロール（21）のみに設け、固定スクロール（21）のラップ（24）と可動スクロール（22）の鏡板（23）との間隙を調整するようにしてもよい。この場合、電力供給構造等の容易化を図ることができる。
【０１１３】
（ｇ）上記各実施形態は、吐出口（2b）には、常時開放するようにしたが、吐出弁を設けるようにしていもよい。そして、上記吐出終了時における作動室である圧縮室（2a）の容積が実質的にゼロ容積となるようにラップ（24）を形成するようにしてもよい。つまり、例えば、圧縮室（2a）の閉じ込み容積を小さくすると、そのままでは圧縮比が低下することになるが、吐出圧力である高圧圧力を高くすることにより、圧縮比の低下を抑制する。
【産業上の利用可能性】
【０１１４】
以上説明したように、本発明は、容積を制御するスクロール流体機械について有用である。
【図面の簡単な説明】
【０１１５】
【図１】実施形態１のスクロール型圧縮機の縦断面図である。
【図２】実施形態１の圧縮動作を示す要部の横断面図である。
【図３】実施形態１の固定スクロール及び可動スクロールの斜視図である。
【図４】実施形態１の高分子アクチュエータを示す要部の拡大縦断面図である。
【図５】実施形態１の高分子アクチュエータの構成を示す要部の構成図である。
【図６】実施形態２の高分子アクチュエータを示す要部の拡大縦断面図である。
【図７】実施形態３の高分子アクチュエータを示す要部の拡大縦断面図である。
【図８】実施形態４の高分子アクチュエータを示す要部の拡大縦断面図である。
【図９】実施形態５の高分子アクチュエータの構成を示す要部の構成図である。
【図１０】実施形態６の圧縮動作を示す要部の横断面図である。
【符号の説明】
【０１１６】
10          スクロール型圧縮機
20          圧縮機構
21          固定スクロール
22          可動スクロール
23          鏡板
24          ラップ
2a          圧縮室
2b          吐出口
40          高分子アクチュエータ
4a          調整手段
50          シール部材
【図１】
2005155568.tif 000003
【図２】
2005155568.tif 000004
【図３】
2005155568.tif 000005
【図４】
2005155568.tif 000006
【図５】
2005155568.tif 000007
【図６】
2005155568.tif 000008
【図７】
2005155568.tif 000009
【図８】
2005155568.tif 000010
【図９】
2005155568.tif 000011
【図１０】
2005155568.tif 000012